(57)【要約】【課題】本発明の目的とするところは、複数の指輪を指の長さ方向に沿って配することができる装飾性に優れた連結型指輪であって、しかもチェーンを用いることなく指の屈曲に柔軟に対応することができる連結型指輪を提供することである。【解決手段】本発明の連結型指輪は、一部を切欠いた複数のリング状指輪本体と、各指輪本体を可撓性を有して連結する連結部とを備え、前記連結部は、リング状指輪本体の切欠き部に取り付けた本体カバー及び中間カバーと、各本体カバー及び中間カバーの間に配置した棒状ないし板状の連結ガイドとを有し、前記本体カバー及び中間カバーの内周側に突出させたピンを、連結ガイドの側壁にその長さ方向に沿って形成したガイド溝にはめ込むことにより、本体カバーと連結ガイドとを伸縮かつ屈曲可能に連結したことを特徴とするものである。【選択図】図１
2010207332.tif 000002
【特許請求の範囲】
【請求項１】
一部を切欠いた複数のリング状指輪本体と、
各指輪本体を可撓性を有して連結する連結部とを備え、
前記連結部は、リング状指輪本体の切欠き部に取り付けた本体カバー及び中間カバーと、
各本体カバー及び中間カバーの間に配置した棒状ないし板状の連結ガイドとを有し、
前記本体カバー及び中間カバーの内周側に突出させたピンを、連結ガイドの側壁にその長さ方向に沿って形成したガイド溝にはめ込むことにより、本体カバーと連結ガイドとを伸縮かつ屈曲可能に連結したことを特徴とする連結型指輪。
【請求項２】
前記本体カバーと中間カバーとの間の連結ガイドが、前記本体カバーから一体的に突設されており、
前記中間カバーの内周側に突出させたピンを、連結ガイドの側壁に設けた凹溝にはめ込むことにより、本体カバーと中間カバーとを屈曲可能に連結したことを特徴とする請求項１記載の連結型指輪。
【請求項３】
前記一部を切欠いたリング状指輪本体が、切欠き端部に側面方向に突出する係合部を設けられており、該係合部を本体カバーの内周側に形成したスライド溝にはめ込んでスライド可能に保持することにより、指輪本体をフリーサイズ指輪としたことを特徴とする請求項１または２に記載の連結型指輪。
【請求項４】
前記複数のリング状指輪本体が、それぞれ指の長さ方向の異なる太さに応じたリング径に形成されていることを特徴とする請求項１ないし３のいずれかに記載の連結型指輪。
【発明の詳細な説明】
【技術分野】
【０００１】
本発明は、複数の指輪本体を装着する指の長さ方向に沿って配することができる連結型指輪に関する。
【背景技術】
【０００２】
従来の連結型の指輪としては、
１）  複数の指輪の間をチェーン類で連結するもの。
例えば、実開昭５９−２９９１６号公報（特許文献１参照）、実開昭５３−９６４９４号公報（特許文献２参照）、実開昭５２−１９５号公報（特許文献３参照）など。
２）  複数の指輪をはめ込み式に連結、一体化するもの。
例えば、特開２００１−２９２８１７号公報（特許文献４参照）など。
３）  複数の指輪を結束するもの。
例えば、実開平３−９８６１６号公報（特許文献５参照）など。
４）  複数の指輪を所定間隔で装飾体に連結するもの。
例えば、実開昭６３−１７６１５号公報（特許文献６参照）など。
が知られている。
【０００３】
それらの先行技術のうち、複数の指輪を指の長さ方向に沿って配することができる連結型指輪は、前記１）の複数の指輪の間をチェーン類で連結するもののみである。
【先行技術文献】
【特許文献】
【０００４】
【特許文献１】実開昭５９−２９９１６号公報
【特許文献２】実開昭５３−９６４９４号公報
【特許文献３】実開昭５２−１９５号公報
【特許文献４】特開２００１−２９２８１７号公報
【特許文献５】実開平３−９８６１６号公報
【特許文献６】実開昭６３−１７６１５号公報
【発明の概要】
【発明が解決しようとする課題】
【０００５】
上述のように複数の指輪を指の長さ方向に沿って配することができる連結型指輪は存在するものの、複数の指輪の間をチェーン類で連結しているため、装飾性を高めることは難しく、しかも装飾性を高めるために複数本のチェーンを使用すると、チェーンが絡まって装着に時間がかかるという問題があった。
【０００６】
そこで本発明の目的とするところは、複数の指輪を指の長さ方向に沿って配することができる装飾性に優れた連結型指輪であって、しかもチェーンを用いることなく指の屈曲に柔軟に対応することができる連結型指輪を提供することである。
【課題を解決するための手段】
【０００７】
上述した課題を解決するために本発明に係る連結型指輪は、
一部を切欠いた複数のリング状指輪本体と、
各指輪本体を可撓性を有して連結する連結部とを備え、
前記連結部は、リング状指輪本体の切欠き部に取り付けた本体カバー及び中間カバーと、
各本体カバー及び中間カバーの間に配置した棒状ないし板状の連結ガイドとを有し、
前記本体カバー及び中間カバーの内周側に突出させたピンを、連結ガイドの側壁にその長さ方向に沿って形成したガイド溝にはめ込むことにより、本体カバーと連結ガイドとを伸縮かつ屈曲可能に連結したことを特徴とするものである。
【０００８】
本発明に係る連結型指輪は、前記本体カバーと中間カバーとの間の連結ガイドが、前記本体カバーから一体的に突設されており、
前記中間カバーの内周側に突出させたピンを、連結ガイドの側壁に設けた凹溝にはめ込むことにより、本体カバーと中間カバーとを屈曲可能に連結したことをも特徴とするものである。
【０００９】
本発明に係る連結型指輪は、前記一部を切欠いたリング状指輪本体が、切欠き端部に側面方向に突出する係合部を設けられており、該係合部を本体カバーの内周側に形成したスライド溝にはめ込んでスライド可能に保持することにより、指輪本体をフリーサイズ指輪としたことをも特徴とするものである。
【００１０】
本発明に係る連結型指輪は、前記複数のリング状指輪本体が、それぞれ指の長さ方向の異なる太さに応じたリング径に形成されていることをも特徴とするものである。
【発明の効果】
【００１１】
本発明に係る連結型指輪によれば、複数の指輪を指の長さ方向に沿って配することができる装飾性に優れた連結型指輪であって、しかもチェーンを用いることなく指の屈曲に柔軟に対応することができる連結型指輪を提供することが可能となった。
【発明を実施するための形態】
【００１２】
以下、図面に基づいて本発明に係る連結型指輪の実施の形態について詳細に説明する。
図１は、本発明に係る連結型指輪を構成する単位ピースの展開図、図２はその斜視図、図３は単位ピースを用いて連結型指輪を組み付ける状態を示す斜視図、図４は完成した連結型指輪の概略斜視図である。
【００１３】
本発明に係る連結型指輪の１実施例を示す図１ないし図１０において、本発明に係る連結型指輪は、一部を切欠いた複数のリング状指輪本体１１と、各指輪本体１１を可撓性を有して連結する連結部１２とを備えている。もちろん、それぞれの前記部品は貴金属製であることが望ましい。
そして、前記連結部１２は、リング状指輪本体１１の切欠き部１３に取り付けた本体カバー２１及び中間カバー２２と、各本体カバー２１及び中間カバー２２の間に配置した棒状ないし板状の連結ガイド２３とを有している。
【００１４】
前記本体カバー２１及び中間カバー２２の内周側にはピン３１が突出させてある。そして、連結ガイド２３の側壁にはその長さ方向に沿ってガイド溝３２が形成してあり、基本的には前記ピン３１を該ガイド溝３２にはめ込むことにより、本体カバー２１及び中間カバー２２と、連結ガイド２３とは伸縮かつ屈曲可能に連結されているのである。
なお、このピン３１を連結ガイド２３に、またガイド溝３２を本体カバー２１及び中間カバー２２側に設けてもよいことはもちろんである。
【００１５】
図９に見られるように、本発明に係る連結型指輪は、前記本体カバー２１と中間カバー２２との間の連結ガイド２３Ａを、前記本体カバー２１の側面から一体的に突設することができる。
そして、前記本体カバー２１に隣接する中間カバー２２の内周側に突出させたピン３１を、該連結ガイド２３Ａの側壁に設けた凹溝３２Ａにはめ込むことにより、本体カバー２１と中間カバー２２とを屈曲可能に連結したものである。
次に、中間カバー２２と中間カバー２２との連結に際しては、それぞれの側壁に長さ方向に沿って形成したガイド溝３２を用いるものとする。したがって、前記本体カバー２１及び中間カバー２２の内周側に突設したピン３１を該ガイド溝３２にはめ込むことにより、本体カバー２１及び中間カバー２２と、連結ガイド２３とは伸縮かつ屈曲可能に連結されているのである。
もちろん、前記凹溝３２Ａに代えて、その長さ方向に沿って形成したガイド溝（３２）を適用することもできる。
【００１６】
以上の構成を備えた連結型指輪は、図２のように指の長さ方向に沿って所定の間隔ではめ込まれる。この場合には本体カバー２１及び中間カバー２２は、そのピン３１を連結ガイド２３のガイド溝３２に沿って間隔を縮める方向にスライドさせ、縮めた状態で指上にはめ込んである。
図３ないし図５はそれぞれ、本体カバー２１及び中間カバー２２間を縮めた場合の平面図、底面図及び側面図である。
次に指を曲げようとすると、本体カバー２１及び中間カバー２２は、自動的にそのピン３１が連結ガイド２３のガイド溝３２に沿って間隔を拡げる方向にスライドするので、図１のように連結型指輪は伸縮し、かつ屈曲することとなる。
図６ないし図８はそれぞれ、本体カバー２１及び中間カバー２２間を拡げた場合の平面図、底面図及び側面図である。
【００１７】
本発明に係る連結型指輪は図１０に示すように、前記一部を切欠いたリング状指輪本体１１が、切欠き端部４１に側面方向に突出するピン様の係合部４２を設けられている。
そして、該係合部４２を本体カバー２１の内周側に形成したスライド溝４３にはめ込んでスライド可能に保持することにより、リング状指輪本体１１はフリーサイズ指輪として機能する。
リング状指輪本体１１を本体カバー２１の内周側に形成したスライド溝４３に取り付けるに際しては、スライド溝４３の長さ方向のほぼ中央に前記ピン様の係合部４２を出し入れするための切欠きを形成すればよい。
【００１８】
本発明に係る連結型指輪は、前記複数のリング状指輪本体１１をそれぞれ指の長さ方向の異なる太さに応じたリング径に形成しておくことが望ましい。
このように前記複数のリング状指輪本体１１をそれぞれ指の長さ方向の異なる太さに応じたリング径に形成し、かつリング状指輪本体１１に切欠きを設けることによってフリーサイズ指輪として機能させることにより、指の太さの違いにかなりの幅をもって対応させることができる。
ちなみに、リング状指輪本体１１はその径を縮める方向に付勢させておくことが望ましいことはいうまでもない。
【産業上の利用可能性】
【００１９】
本発明に係る連結型指輪によれば、指の長さ方向に一対の、また３つのリング状指輪本体を連結することができることはもちろん、それ以上の多数のリング状指輪本体を連結した構造の、より多様な装飾性を持つものとすることができる。
【図面の簡単な説明】
【００２０】
【図１】本発明に係る連結型指輪の曲げた指に装着した状態を示す側面図である。
【図２】本発明に係る連結型指輪の伸ばした指に装着した状態を示す側面図である。
【図３】本発明に係る連結型指輪の平面図である。
【図４】本発明に係る連結型指輪の底面図である。
【図５】本発明に係る連結型指輪の側面図である。
【図６】本発明に係る連結型指輪を伸ばした状態を示す平面図である。
【図７】本発明に係る連結型指輪を伸ばした状態を示す底面図である。
【図８】本発明に係る連結型指輪を伸ばした状態を示す側面図である。
【図９】本発明に係る連結型指輪の指輪本体の横断面図である。
【図１０】本発明に係る連結型指輪の指輪本体の縦断面図図である。
【符号の説明】
【００２１】
１１  リング状指輪本体
１２  連結部
１３  切欠き部
２１  本体カバー
２２  中間カバー
２３  連結ガイド
２３Ａ  連結ガイド
３１  ピン
３２  ガイド溝
３２Ａ  凹溝
４１  切欠き端部
４２  係合部
４３  スライド溝
【図１】
2010207332.tif 000003
【図２】
2010207332.tif 000004
【図３】
2010207332.tif 000005
【図４】
2010207332.tif 000006
【図５】
2010207332.tif 000007
【図６】
2010207332.tif 000008
【図７】
2010207332.tif 000009
【図８】
2010207332.tif 000010
【図９】
2010207332.tif 000011
【図１０】
2010207332.tif 000012